【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
マルチメディアシステムにおける前方誤り訂正(Forward Error Correction；ＦＥＣ)符号化を遂行する方法であって、
少なくとも一つのソースシンボルブロックの各々に対して、第１のＦＥＣ符号化を遂行して対応する少なくとも一つの第１のＦＥＣパケットブロックを生成するステップと、
前記少なくとも一つのソースシンボルブロックに対して、第２のＦＥＣ符号化を遂行して第２のＦＥＣパケットブロックを生成するステップと、を含み、
ここで、前記少なくとも一つの第１のＦＥＣパケットブロックの各々は、少なくとも一つのソースパケットと少なくとも一つの第１の回復パケットを含み、
ここで、前記第２のＦＥＣパケットブロックは、前記少なくとも一つのソースシンボルブロックと関連した前記少なくとも一つのソースパケットと少なくとも一つの第２の回復パケットを含み、
ここで、前記少なくとも一つの第１の回復パケットの回復パケットは、前記少なくとも一つの第１のＦＥＣパケットブロックのうち前記回復パケットに対応する第１のＦＥＣパケットブロックの境界を表す情報を含むことを特徴とする方法。
【請求項２】
前記少なくとも一つの第２の回復パケットの回復パケットは、前記第２のＦＥＣパケットブロックの境界を表す情報を含むことを特徴とする請求項１に記載の方法。
【請求項３】
前記少なくとも一つの第１の回復パケットの前記回復パケットは、前記少なくとも一つの第１の回復パケットの前記回復パケットが前記第１のＦＥＣパケットブロックの境界と関連するか否かを確認する情報を含むことを特徴とする請求項１または２に記載の方法。
【請求項４】
前記少なくとも一つの第２の回復パケットの回復パケットは、前記少なくとも一つの第２の回復パケットの前記回復パケットが前記第２のＦＥＣパケットブロックの境界と関連するか否かを表す情報を含むことを特徴とする請求項１乃至３のうち何れか一項に記載の方法。
【請求項５】
マルチメディアシステムにおける前方誤り訂正(Forward Error Correction；ＦＥＣ)符号化を遂行する装置であって、
少なくとも一つのソースシンボルブロックの各々に対して、第１のＦＥＣ符号化を遂行して対応する少なくとも一つの第１のＦＥＣパケットブロックを生成する第１のＦＥＣ符号化器と、
前記少なくとも一つのソースシンボルブロックに対して、第２のＦＥＣ符号化を遂行して第２のＦＥＣパケットブロックを生成する第２のＦＥＣ符号化器と、を含み、
ここで、前記少なくとも一つの第１のＦＥＣパケットブロックの各々は、少なくとも一つのソースパケットと少なくとも一つの第１の回復パケットを含み、
ここで、前記第２のＦＥＣパケットブロックは、前記少なくとも一つのソースシンボルブロックと関連した前記少なくとも一つのソースパケットと少なくとも一つの第２の回復パケットを含み、
ここで、前記少なくとも一つの第１の回復パケットの回復パケットは、前記少なくとも一つの第１のＦＥＣパケットブロックのうち前記回復パケットに対応する第１のＦＥＣパケットブロックの境界を表す情報を含むことを特徴とする装置。
【請求項６】
前記少なくとも一つの第２の回復パケットの回復パケットは、前記第２のＦＥＣパケットブロックの境界を表す情報を含むことを特徴とする請求項５に記載の装置。
【請求項７】
前記少なくとも一つの第１の回復パケットの前記回復パケットは、前記少なくとも一つの第１の回復パケットの前記回復パケットが前記第１のＦＥＣパケットブロックの境界と関連するか否かを確認する情報を含むことを特徴とする請求項５または６に記載の装置。
【請求項８】
前記少なくとも一つの第２の回復パケットの回復パケットは、前記少なくとも一つの第２の回復パケットの前記回復パケットが前記第２のＦＥＣパケットブロックの境界と関連するか否かを表す情報を含むことを特徴とする請求項５乃至７のうち何れか一項に記載の装置。
【請求項９】
マルチメディアシステムにおける前方誤り訂正(Forward Error Correction；ＦＥＣ)復号化を遂行する方法であって、
少なくとも一つの第１のＦＥＣパケットブロックと第２のＦＥＣパケットブロックのうち少なくとも一つを含む少なくとも一つのＦＥＣパケットブロックを受信するステップと、
前記少なくとも一つのＦＥＣパケットブロックに対する少なくとも一つのブロック境界を決定するステップと、
前記少なくとも一つの決定されたブロック境界に基づいて、前記少なくとも一つのＦＥＣパケットブロックを復号化するステップと、を含み、
ここで、前記少なくとも一つの第１のＦＥＣパケットブロックは、少なくとも一つのソースシンボルブロックの各々に対する第１のＦＥＣ符号化により生成され、前記少なくとも一つの第１のＦＥＣパケットブロックの各々は少なくとも一つのソースパケットと少なくとも一つの回復パケットを含み、
ここで、前記第２のＦＥＣパケットブロックは、前記少なくとも一つのソースシンボルブロックに対する第２のＦＥＣ符号化により生成され、前記第２のＦＥＣパケットブロックは、前記少なくとも一つのソースシンボルブロックと関連した前記少なくとも一つのソースパケットと前記少なくとも一つの第２の回復パケットを含むことを特徴とする方法。
【請求項１０】
前記少なくとも一つの第１の回復パケットの回復パケットは、前記少なくとも一つの第１のＦＥＣパケットブロックのうち前記回復パケットに対応する第１のＦＥＣパケットブロックの境界を表す情報を含むことを特徴とする請求項９に記載の方法。
【請求項１１】
前記少なくとも一つの第２の回復パケットの回復パケットは、前記第２のＦＥＣパケットブロックの境界を表す情報を含むことを特徴とする請求項９または１０に記載の方法。
【請求項１２】
前記少なくとも一つの第１の回復パケットの回復パケットは、前記少なくとも一つの第１の回復パケットの前記回復パケットが前記第１のＦＥＣパケットブロックの境界と関連するか否かを確認する情報を含むことを特徴とする請求項９乃至１１のうち何れか一項に記載の方法。
【請求項１３】
前記少なくとも一つの第２の回復パケットの回復パケットは、前記少なくとも一つの第２の回復パケットの前記回復パケットが前記第２のＦＥＣパケットブロックの境界と関連するか否かを確認する情報を含むことを特徴とする請求項９乃至１２のうち何れか一項に記載の方法。
【請求項１４】
マルチメディアシステムにおける前方誤り訂正(Forward Error Correction；ＦＥＣ)復号化を遂行する装置であって、
通信ネットワークを通してデータを受信する受信器と、
前記受信されたデータを復号化する復号化器と、
少なくとも一つの第１のＦＥＣパケットブロックと第２のＦＥＣパケットブロックのうち少なくとも一つを含む少なくとも一つのＦＥＣパケットブロックを受信し、前記少なくとも一つのＦＥＣパケットブロックに対する少なくとも一つのブロック境界を決定し、前記決定された少なくとも一つのブロック境界に基づいて前記少なくとも一つのＦＥＣパケットブロックを復号化する動作を制御する制御部と、を含み、
ここで、前記少なくとも一つの第１のＦＥＣパケットブロックは、少なくとも一つのソースシンボルブロックの各々に対する第１のＦＥＣ符号化により生成され、前記少なくとも一つの第１のＦＥＣパケットブロックの各々は少なくとも一つのソースパケットと少なくとも一つの回復パケットを含み、
ここで、前記第２のＦＥＣパケットブロックは、前記少なくとも一つのソースシンボルブロックに対する第２のＦＥＣ符号化により生成され、前記第２のＦＥＣパケットブロックは、前記少なくとも一つのソースシンボルブロックと関連した前記少なくとも一つのソースパケットと前記少なくとも一つの第２の回復パケットを含むことを特徴とする装置。
【請求項１５】
前記少なくとも一つの第１の回復パケットの回復パケットは、前記少なくとも一つの第１のＦＥＣパケットブロックのうち前記回復パケットに対応する第１のＦＥＣパケットブロックの境界を表す情報を含むことを特徴とする請求項１４に記載の装置。
【請求項１６】
前記少なくとも一つの第２の回復パケットの回復パケットは、前記第２のＦＥＣパケットブロックの境界を表す情報を含むことを特徴とする請求項１４または１５に記載の装置。
【請求項１７】
前記少なくとも一つの第１の回復パケットの回復パケットは、前記少なくとも一つの第１の回復パケットの前記回復パケットが前記第１のＦＥＣパケットブロックの境界と関連するか否かを確認する情報を含むことを特徴とする請求項１４乃至１６のうち何れか一項に記載の装置。
【請求項１８】
前記少なくとも一つの第２の回復パケットの回復パケットは、前記少なくとも一つの第２の回復パケットの前記回復パケットが前記第２のＦＥＣパケットブロックの境界と関連するか否かを確認する情報を含むことを特徴とする請求項１４乃至１７のうち何れか一項に記載の装置。